(57)【特許請求の範囲】
【請求項１】
手動の心肺蘇生装置であって、
ハンドルと、
第１端及び第２端を有する変形可能なハウジングであって、第１端はハンドルに接続され、第１端は第１周辺部を含み、第２端は第２周辺部を含み、第２周辺部は第１周辺部よりも大きい、変形可能なハウジングと、
変形可能なハウジングと一体の弁と、
変形可能なハウジングの第２端に接続されたガスケットであって、ガスケットは、チャンバーを形成する可撓性のダイアフラムを含み、ダイアフラムは、ディスク状であり、ガスケットのリップに密閉的に結合され、変形可能なハウジングは、圧力がハンドルにかけられるときに変形するように構成される、ガスケットと、を備える、手動の心肺蘇生装置。
【請求項２】
請求項１記載の手動の心肺蘇生装置において、
ガスケットは、患者の胸部と相互接続するように構成され、
チャンバーは、空気の容量を含み、
チャンバーの空気の容量は、ガスケットが患者の胸部と接触した状態で圧力がハンドルにかけられるときに減少する、手動の心肺蘇生装置。
【請求項３】
請求項２記載の手動の心肺蘇生装置において、
弁は、予め決められた圧力の量がハンドルにかけられるときに開放するように構成され、それによって、変形可能なハウジングがチャンバーの空気が弁を出るときに変形する、手動の心肺蘇生装置。
【請求項４】
請求項１記載の手動の心肺蘇生装置において、
ハンドルに支持された電子部品アッセンブリを更に備え、
電子部品アッセンブリは、プロセッサ、スピーカー、照明デバイス及びアクチュエータを含む、手動の心肺蘇生装置。
【請求項５】
請求項４記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
【請求項６】
請求項５記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
【請求項７】
請求項１記載の手動の心肺蘇生装置において、
ハンドルに支持された電子部品アッセンブリを更に備え、
電子部品アッセンブリは、プロセッサ、スピーカー及びアクチュエータを含む、手動の心肺蘇生装置。
【請求項８】
請求項７記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
【請求項９】
請求項１記載の手動の心肺蘇生装置において、
ハンドルに支持された電子部品アッセンブリを更に備え、
電子部品アッセンブリは、プロセッサ、照明デバイス及びアクチュエータを含む、手動の心肺蘇生装置。
【請求項１０】
請求項９記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
【請求項１１】
請求項１記載の手動の心肺蘇生装置において、
変形可能なハウジングは、第２周辺部よりも大きい第３周辺部を更に含む、手動の心肺蘇生装置。
【請求項１２】
請求項１記載の手動の心肺蘇生装置において、
ガスケットは、可撓性であり、それによって、患者の胸部とシールを形成するように構成される、手動の心肺蘇生装置。
【請求項１３】
請求項１記載の手動の心肺蘇生装置において、
変形可能なハウジングは、複数のプリーツを含む、手動の心肺蘇生装置。
【請求項１４】
手動の心肺蘇生装置であって、
複数のプリーツを含むハウジングであって、ハウジングが第１位置にあるときの第１容量と、ハウジングが第２位置にあるときの第２容量とを有するチャンバーを画定するハウジングと、
ハウジングに結合されたガスケットであって、ガスケットは、ガスケットのリップの上面に密閉的に結合された可撓性のディスク状のダイアフラムを含む、ガスケットと、
ハウジングに接続されると共に、チャンバーと流体連通する弁と、
ハウジングに接続されたハンドルであって、ハンドルは、圧力を受けるように構成され、それによって患者の胸部に圧迫を適用するためにその第１位置から第２位置までハウジングを動かすハンドルと、を備える、手動の心肺蘇生装置。
【請求項１５】
請求項１４記載の手動の心肺蘇生装置において、
ハンドルに支持された電子部品アッセンブリを更に備え、
電子部品アッセンブリは、プロセッサ、スピーカー、照明デバイス及びアクチュエータを含む、手動の心肺蘇生装置。
【請求項１６】
請求項１５記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
【請求項１７】
請求項１６記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
【請求項１８】
請求項１４記載の手動の心肺蘇生装置において、
ハンドルに支持された電子部品アッセンブリを更に備え、
電子部品アッセンブリは、プロセッサ、スピーカー及びアクチュエータを含む、手動の心肺蘇生装置。
【請求項１９】
請求項１８記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
【請求項２０】
請求項１４記載の手動の心肺蘇生装置において、
ハンドルに支持された電子部品アッセンブリを更に備え、
電子部品アッセンブリは、プロセッサ、照明デバイス及びアクチュエータを含む、手動の心肺蘇生装置。
【請求項２１】
請求項２０記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
【請求項２２】
手動の心肺蘇生装置であって、
ハンドルと、
変形可能なハウジングと、を備え、
変形可能なハウジングは、
ハンドルに接続された第１部分と、
第１端及び第２端を有する第２部分であって、第１端は第１部分に接続され、第１端は第１周辺部を含み、第２端は第２周辺部を含み、第２周辺部は第１周辺部よりも大きい、第２部分と、を含み、
手動の心肺蘇生装置は、更に、
第２部分内に形成された開口と、
第２部分に接続される第３部分であって、第３部分は、第２部分の第２端に隣接すると共に第２部分の周辺部の周りに延在するリムを含む、第３部分と、
リムに取り外し可能に結合されたカバーであって、カバーは、カバーに結合された発砲インサートと、発砲インサートに結合された接着層とを含む、カバーと、を備える、手動の心肺蘇生装置。
【請求項２３】
請求項２２記載の手動の心肺蘇生装置において、
リムは、内面及び外面を含むチャンネルを画定する、手動の心肺蘇生装置。
【請求項２４】
請求項２３記載の手動の心肺蘇生装置において、
カバーは、第２部分の第２端内に収まるように構成されたベースを含む、手動の心肺蘇生装置。
【請求項２５】
請求項２４記載の手動の心肺蘇生装置において、
カバーは、ベースの周辺部の周りを延在するリッジを含む、手動の心肺蘇生装置。
【請求項２６】
請求項２５記載の手動の心肺蘇生装置において、
リッジは、溝を画定すると共に、外面及び内面を含む、手動の心肺蘇生装置。
【請求項２７】
請求項２６記載の手動の心肺蘇生装置において、
リッジは、リムを受け入れるように構成される、手動の心肺蘇生装置。
【請求項２８】
請求項２７記載の手動の心肺蘇生装置において、
溝の内面は、チャンネルの外面と合う、手動の心肺蘇生装置。
【請求項２９】
請求項２８記載の手動の心肺蘇生装置において、
カバーは、ベースに結合された発砲インサートと、発砲インサートに結合された接着層と、を含む、手動の心肺蘇生装置。
【請求項３０】
請求項２５記載の手動の心肺蘇生装置において、
カバーは、変形可能なハウジングの第３部分からカバーを取り外すための、リッジの縁部から横方向に延在するタブを含む、手動の心肺蘇生装置。
【請求項３１】
請求項２２記載の手動の心肺蘇生装置において、
ハンドルに支持された電子部品アッセンブリを更に備え、
電子部品アッセンブリは、プロセッサ、スピーカー及びアクチュエータを含む、手動の心肺蘇生装置。
【請求項３２】
請求項３１記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
【請求項３３】
請求項２２記載の手動の心肺蘇生装置において、
ハンドルに支持された電子部品アッセンブリを更に備え、
電子部品アッセンブリは、プロセッサ、照明デバイス及びアクチュエータを含む、手動の心肺蘇生装置。
【請求項３４】
請求項３３記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
【発明の詳細な説明】
【技術分野】
【０００１】
本発明は、心肺蘇生（ＣＰＲ）器具に関する。
【背景技術】
【０００２】
心肺蘇生又はＣＰＲは、人工呼吸（口対口の蘇生）と胸骨圧迫を組み合わせたものである。人が十分に呼吸をしていない又は血液を循環していない場合、ＣＰＲは、脳及び心臓に酸素を豊富に含む血液の循環を復元することができる。ＣＰＲは、心肺停止、事故、溺水、薬物過剰摂取、窒息、中毒、煙の吸入、および感電の怪我など、さまざまな緊急事態の間、必要な場合がある。
【発明の概要】
【発明が解決しようとする課題】
【０００３】
ＣＰＲは、それらの間の人工呼吸の瞬間によって分離された指定された各々の速度と力でいくつかの胸骨圧迫を行う。使用者がＣＰＲを実行するとき、タスクを行う際の精度が重要である。各胸骨圧迫のタイミング、数及び力が、人の処置の最大効果を確実にするために正確に実行する必要がある。さらには、ＣＰＲを提供することは、通常、脅迫時間中に行われるので、圧迫の追跡を維持し、均一なリズムを維持し、一定の圧迫力を維持することは、特に、訓練を受けていない使用者又は新たに認定された使用者にとって困難である。
【課題を解決するための手段】
【０００４】
２０１０年には、アメリカ心臓協会と蘇生に関する国際連絡委員会は、それらのＣＰＲのガイドラインを更新した。フィールド、Ｊ．Ｍらの“パート１：エグゼクティブサマリー：心肺蘇生及び緊急心血管治療のための２０１０年米国心臓協会のガイドライン”、循環１２２（１８補遺３）：Ｓ６４０−５６（２０１０年１１月）を参照してください。高品質のＣＰＲ（過度に換気することなく、十分な速度と深さ）の重要性が強調され、専門家は、最初の胸骨圧迫する時間を減少することが重要であることが同意された。従って、基本的な生命維持のための介入の順序が、気道、呼吸、胸骨圧迫（ＡＢＣ）から胸骨圧迫、気道、呼吸（ＣＡＢ）まで新生児を除くすべての年齢層のために変更された。
【０００５】
更新されたＣＰＲのガイドライン（バーグ、ロバートＡらの“”パート５：大人の基本的な救命：心肺蘇生及び緊急心血管治療のための２０１０年米国心臓協会のガイドライン”、循環１２２（１８補遺３）：Ｓ６８５−Ｓ７０５（２０１０年１１月））によれば、胸骨圧迫は、胸骨の下半分にかかる効果的なリズムの適用で構成される。これらの圧迫は、胸腔内圧を高め、心臓を直接圧縮することにより血流を形成する。これは、心筋や脳への血流及び酸素供給を生じる。効果的な胸骨圧迫は、ＣＰＲ中に血流を提供するために不可欠である。このような理由から、心停止中のすべての患者は、胸骨圧迫を受けることが勧められる。
【０００６】
効果的な胸骨圧迫を提供するためには、素人及び医療提供者は、胸骨の下半分を熱心に押し、早く押す必要がある。素人及び医療提供者が、少なくとも２インチ／５ｃｍの圧迫深さで少なくとも毎分１００回の圧迫の速さで大人の胸部を圧迫することは合理的である。救助者は、次の圧迫の前に心臓が完全に満たすのを可能にするために各圧迫の後に胸の完全な反動を可能にする必要がある。
【０００７】
救助者は、毎分供給される圧迫の数を最大化するために圧迫の振動及び中断期間を最小限にすることを試みる必要がある。圧迫−換気率は、３０：２であることを推奨する。
ひとたび胸骨圧迫が開始されると、訓練を受けた救助者は、以下のように酸素及び換気を提供するために口対口あるいはバッグマスクによって人工呼吸を提供しなければならない。
【０００８】
１．各人工呼吸を１秒以上提供すること
２．目に見える胸の上昇を生じるために十分な換気量を与えること
３．３０回の胸骨圧迫に対して２回の換気の圧迫換気割合を使用すること
本発明は、“良いサマリア人”及び第１応答者のために容易に利用可能な携帯型の補助機構を提供するように構成される。ＣＰＲのための簡単な使い捨ての携帯型の補助製品を提供することにより、“良いサマリア人”になるために居合わせた人の意欲を向上させることができる。
【０００９】
更新されたＣＰＲガイドラインは、少なくとも毎分１００回の割合での胸骨圧迫を推奨した。研究は、高い圧迫率は高い生存率と関連されていることが示された。しかしながら、素人又は第１応答者が毎分１００回の推奨割合で急速な圧迫を適用することは困難である。従って、本発明は、推奨された割合で急速な圧迫を達成することが容易にできる人間工学的装置を提供する。
【００１０】
本発明は、上述したように有効な胸骨圧迫を提供している素人、救助者又は医療提供者を支援するための装置に関する。いくつかの例示的な実施形態において、本発明は、手動の心肺蘇生装置を提供する。その装置は、ハンドルと、第１端及び第２端を有する変形可能なハウジングと、を含む。第１端は、ハンドルに接続され、第１端は、第１周辺部を含み、第２端は、第２周辺部を含み、第２周辺部は第１周辺部よりも大きい。また、その装置は、変形可能なハウジングと一体の弁と、変形可能なハウジングの第２端に接続されたガスケットと、を含む。ガスケットは、ダイアフラムを含み、それによって、チャンバーを形成し、変形可能なハウジングは、圧力がハンドルにかけられるときに変形するように構成される。
【００１１】
別の例示的な実施形態では、本発明は、複数のプリーツを有するハウジングを含む手動の心肺蘇生装置を提供する。ハウジングは、ハウジングが第１位置にあるときの第１容量と、ハウジングが第２位置にあるときの第２容量とを有するチャンバーを画定する。また、その装置は、ハウジングに接続されると共にチャンバーに流体連通する弁と、ハウジングに接続されたハンドルと、を含む。ハンドルは、それによって患者の胸に圧迫を適用するためにその第１位置から第２位置までハウジングを動かすために圧力を受けるように構成される。
【００１２】
さらに別の例示的な実施形態では、本発明は、ハンドルと、変形可能なハウジングと、変形可能なハウジングに取り外し可能に接続されたカバーと、を備える手動の心肺蘇生装置を提供する。変形可能なハウジングは、ハンドルに接続された第１部分と、第１端及び第２端を有する第２部分とを含み、第１端は第１部分に接続され、第１端は、第１周辺部を含み、第２端は、第２周辺部を含み、第２周辺部は第１周辺部よりも大きい。また、変形可能なハウジングは、第２部分内に形成された開口と、第２部分に接続される第３部分とを含み、第３部分は、第２部分の第２端に隣接すると共に第２部分の周辺部の周りに延在するリムを含む。カバーは、リムに取り外し可能に結合される。
【図面の簡単な説明】
【００１３】
【図１】図１は、本発明の実施形態にかかる心肺蘇生装置の斜視図である。
【図２】図２は、図１に示された心肺蘇生装置の側面図である。
【図３】図３は、図１に示された心肺蘇生装置の断面図である。
【図４】図４は、図１に示された心肺蘇生装置の上面図である。
【図５】図５は、本発明の実施形態にかかる心肺蘇生装置の斜視図である。
【図６】図６は、本発明の実施形態にかかる心肺蘇生装置の斜視図である。
【図７】図７は、図６に示された心肺蘇生装置の断面図である。
【図８】図８は、図６に示された心肺蘇生装置の分解図である。
【図９】図９は、図６に示された心肺蘇生装置の一部分の拡大断面図である。
【図１０】図１０は、本明細書中に示された心肺蘇生装置に使用される電子部品アッセンブリの概略図である。
【発明を実施するための形態】
【００１４】
本発明は、以下の説明又は実施形態に記載された、又は図面に図示された構造の詳細及び構成要素の配置に対するその適用に限定されないことを理解されるべきである。本発明は、他の実施形態に可能であり、様々な方法で実施される又は実行される。また、本明細書中で使用される表現および用語は説明のためのものであり、限定とみなされるべきではないことを理解すべきである。
【００１５】
図１−５は、本発明の一実施形態にかかる心肺蘇生（ＣＲＰ）装置１０を示す。図６−９は、本発明の別の実施形態にかかるＣＲＰ２００を示す。ＣＰＲ１０、２００は、患者にＣＰＲを行う間に使用者を支援するように構成される。ＣＰＲ１０、２００は、使用者によって保持され、患者の胸部に配置され、その時に、使用者は、ＣＰＲ手順に従って胸骨圧迫を実行するために短くて迅速なストロークで繰り返し的に装置１０、２００に対して押し上げる。使用中、装置１０、２００は、患者に施す圧迫の力、タイミング、回数に関して、リアルタイムで使用者に音声及び／又は視覚フィードバックを提供する。また、装置１０、２００は、患者が任意の潜在的に有害な力を経験しないように、使用者によってかけられる力を変更（低減）できる。
【００１６】
図１−５の図示の構成では、装置１０は、ハンドル１４と、患者の胸に配置可能なガスケット１８と、ガスケット１８とハンドル１４との間に延在し、それらの間に力を伝達する変形可能なハウジング２２と、を含む。いくつかの構成では、装置１０は、また、彼又は彼女がＣＰＲを施す間、使用者に音声及び／又は視覚フィードバックを提供するための電子部品アッセンブリを含む。
【００１７】
図１及び３−５に示されるように、ＣＰＲ装置１０のハンドル１４は、周辺部と、段付き端部４２を形成するために本体３０の底面３８から軸方向に延在する突出部３４と、を有する本体３０を含む。組み立てられると、突出部３４の段付き端部４２は、変形可能なハウジング２２内に少なくとも部分的に収容されて変形可能なハウジング２２の端部に結合される。動作中、使用者は、使用者が垂直方向の力を装置１０に付与すると共に最終的には患者に付与することができるように、一般的にはその周辺部に沿ってハンドル１４を把持する。一般に、使用者は、各圧迫に対して患者の胸部に圧迫圧力をかけるために下方向に両手でハンドルにもたれるあるいは押圧する。
【００１８】
図２−３に最も示されるように、ハンドル１４の本体３０は、概ね、半径方向内方に延在するときに徐々に先細りになりながらその周辺部に沿って最も厚い。図１−４に関し、いくつかの実施形態では、ハンドル１４は、また、複数の切欠き４６を含み、各々の切欠きは、使用者の一つ以上の指に対応するためにハンドル１４の周辺部から内方に延在する。他の構成では、ハンドル１４は、また、手の疲労を軽減すると共に使用者の快適性を高めるのを助けるために、パッドを含むことができ、あるいは、発泡ゴム又は他の適当な材料で被覆されることができる。図示のハンドルは、一対の対向する直線壁及び一対の対向する曲がった壁（図４参照）を含むが、ハンドル１４の本体３０は、また、ディスク状形状（図５参照）又は人間工学的に効果的であるあらゆる適当な輪郭を含むことができる。また、ハンドル１４の本体３０は、電子部品アッセンブリ２６の少なくとも一部分を受け入れるためにその上面５４に形成された凹部５０を含む。
【００１９】
図１−３に示されるように、装置１０の変形可能なハウジング２２は、複数のプリーツ８６、第１周辺部を有する第１端９０、及び第１周辺部よりも大きい第２周辺部を有する第２端９４を含む外壁８２を有する幾分円錐形状である。組み立てられるとき、ハンドル１４は、ハウジング２２の第１端９０に取り付けられて摩擦嵌合又は接着剤でそこに固定され、（ダイヤフラム６６を有する）ガスケット１８は、ハウジング２２の第２端９４に結合され、それらの間にチャンバー７４を画定する（図３参照）。
【００２０】
図２及び図３に示されるように、デバイス１０のガスケット１８は、ゴムなどの可撓性材料から形成され、患者の胸部の輪郭とシールを形成するようにかつ患者の胸部の輪郭に適合するように構成される。代替的な構成では、接着剤（例えば医療グレード）は、ガスケット１８に固定されることができ、圧迫を実行する際に装置１０を安定化にするために患者の胸部に固定することができる。図示の構成では、ガスケット１８は、実質的に形状が環状であると共にベースに対して半径方向外方に広がる側壁を含み、ベースは、側壁に対して傾斜角度で側壁から半径方向外方に延在して続く。ガスケット１８の形状は、それが、患者の胸部又は胴体に押下されると曲がるのを可能にし、使用者の胸部に順応すると共に胸部シールを形成する。このように、ガスケット１８は、ＣＰＲ行程中に患者に対する装置の位置を維持することができる。
【００２１】
また、ガスケット１８は、ガスケット１８の内側周辺部の周りに円周方向に延在するリップ６２を含み、以下に述べるようにダイヤフラム６６の取り付け位置を提供するためにガスケット１８の内表面から半径方向内方に延在する。リップ６２は、ガスケット１８と一体に形成され又は成型されることができる。図示の構成では、ガスケット１８の上部分は、ガスケットの側壁から半径方向内方に曲がり、変形可能なハウジング２２の第２端９４に結合するように構成される。
【００２２】
図３を更に参照すると、ダイヤフラム６６は、実質的にディスク状であり、透明でやや可撓性のある材料で形成される。ダイヤフラム６６は、ガスケット１８のリップ６２に密閉的に結合され、周囲の環境７８からチャンバー７４を隔離する。特に、ダイヤフラム６６の外側周辺部分は、リップ６２の上面に、密閉的に結合される。図示の構成では、ダイヤフラム６６は、チャンバー７４の圧力の変化に応じて撓む又は変形することができる。また、ダイヤフラム６６は、ガスケット１８が使用中に使用者の胸部に密閉する又は吸引するのを可能にする。
【００２３】
また、ハウジング２２は、第１端９０近くに弁９８を含む。弁９８は、チャンバー７４と周囲の環境７８との間の流体連通を制御するように構成される。操作中、弁９８は、チャンバー７４及び周囲の環境７８が流体連通する開放位置と、チャンバー７４及び周囲の環境７８が流体連通しない閉鎖位置との間で調整可能である。図示の構成では、弁９８は、チャンバー７４と周囲の環境７８との間の圧力差に少なくとも部分的に基づいて開放位置と閉鎖位置との間で作動可能である。換言すれば、チャンバー７４内の圧力が予め決められた閾値によって周囲の環境７８の圧力を超えるときに、弁９８は、空気がチャンバー７４を出るのを可能にするために開く。
【００２４】
弁９８は図示の構成ではハウジング２２と一体に形成されるが、代替的な構成では、弁は、別個に形成されることができる。さらに他の構成では、弁９８は、ハンドル１４、ダイヤフラム６６などに配置される又はそれらと一体に形成されることができる。
【００２５】
ＣＰＲ装置１０は、ユニットとして組み立てられる。組み立て手順は、この説明によって意図されない。ダイヤフラム６６は、ガスケット１８のリップ６２に密閉的に結合される。ガスケット１８の上部は、ハウジング２２の第２端に結合される。ハンドル１４の段付き端部４２は、ハウジング２２の第１端９０に結合され、電子部品アッセンブリ２６は、ハンドル１４の凹部５０内に少なくとも部分的に収容される。弁９８がハウジング２２と一体に形成されていない場合は、必要に応じて取り付けられることができる。
【００２６】
図６−９は、本発明の実施形態にかかる心肺蘇生装置２００を示す。装置２００は、ハンドル２０４と、ハンドル２０４に接続可能でありハンドル２０４から延在する変形可能なハウジング２０８と、変形可能なハウジング２０８に取り外し可能に結合されるかばー２１２と、を含む。いくつかの実施形態では、装置２００は、また、彼又は彼女がＣＰＲを施す間、使用者に音声及び／又は視覚フィードバックを提供するための電子部品アッセンブリを含む。
【００２７】
ハンドル２０４は、周辺部と、本体２２０の底面２２８から軸方向に延在する突出部２２４と、を有する本体２２０を含む。突出部２２４は、その端部に、変形可能なハウジング２０８に螺合されるねじ山２３２を含む。図示のように、ねじ山２３２は、突出部が互いに結合されるときに変形可能なハウジング２０８によって収容されるように突出部２２４の外面にある。動作中、使用者は、使用者が垂直方向の力を装置２００に付与すると共に最終的には患者に付与することができるように、一般的にはその周辺部に沿ってハンドル２０４を把持する。一般に、使用者は、各圧迫に対して患者の胸部に圧迫圧力をかけるために下方向に両手でハンドルにもたれるあるいは押圧する。
【００２８】
ハンドル２０４の本体２２０は、概ね、半径方向内方に延在するときに徐々に先細りになりながらその周辺部に沿って最も厚い。図示のように、ハンドル２０４は、また、複数の切欠き２３６を含み、各々の切欠きは、使用者の一つ以上の指に対応するためにハンドル２０４の周辺部から内方に延在する。他の構成では、ハンドル２０４は、また、手の疲労を軽減すると共に使用者の快適性を高めるのを助けるために、パッドを含むことができ、あるいは、発泡ゴム又は他の適当な材料で被覆されることができる。また、ハンドル２０４の本体２２０は、電子部品アッセンブリ２１６の少なくとも一部分を受け入れるためにその上面２４４に形成された凹部２４０を含む。
【００２９】
装置２００の変形可能なハウジング２０８は、幾分円錐形状であり、第１部分２４８、複数のプリーツ２５６を有する第２部分２５２、及び第３部分２６０を含む。第１部分２４８又は首部は、第２部分２５２及び第３部分２６０の外周よりも小さい外周を含む。第１部分２４８は、ハンドル２０４のねじ山２３２と螺合するための複数のねじ山２６４を有する内表面を含む。また、第１部分２４８へのハンドル２０４の他の適当な結合方法は、本発明によって熟考される。第１部分２４８は、第２部分２５２と一体であり、第２部分２５２に徐々に先細りになる。
【００３０】
第２部分２５２は、第１周辺部を有する第１端２６８と、第１周辺部よりも大きい第２周辺部を有する第２端２７２を含む。複数のプリーツ２５６が第１端２６８と第２端２７２との間に配置される。また、第２部分２５２は、第１端２６８にある最初のプリーツに配置される一つ以上の開口２７６を含む。開口２７６は、プリーツ２５６の壁の厚さを貫通し、チャンバー２７８と大気との間の流体連通を提供する。
【００３１】
図８−９を参照すると、第３部分２６０は、第２部分と一体であり、リム２８０を形成する上方に曲がった側壁を有する。リム２８０は、第２部分２５２の第２端２７２に隣接し、第２部分２５２の周辺部の周りを延在する。リム２８０は、内面２８４及び外面２８８を含むチャンネル２８２を画定する。
【００３２】
カバー２１２は、リム２８０に取り外し可能に結合され、それによって、カバー２１２が使い捨てであり、装置２００の残りの部分が再利用可能である。カバー２１２は、第２部分２５２の第２端２７２によって画定された寸法内に収まるように構成されかつ寸法付けられる概ね平らなベース２９２を含む。カバー２１２は、ベース２９２の周辺部の周りを延在するリッジ２９６を含む。リッジ２９６は、その内面に溝３００を画定すると共に、外面３０４及び内面３０８を含む。リッジ２９６は、溝３００の内面３０８がチャンネル２８０の外面と合うようにリム２８０を受け入れるように構成される。カバー２１２は、変形可能なハウジング２０８の第３部分２６０からカバー２１２を取り外すための、リッジ２９６の縁部から横方向に延在するタブ３１２を含む。カバー２１２は、ベース２９２に結合された発砲インサート３１６と、発砲インサート３１６に結合された接着層３２０とを含む。
【００３３】
図１０に示されるように、電子部品アッセンブリ２６、２１６は、プロセッサ１００（例えば、マイクロプロセッサ、マイクロコントローラ、または別の適切なプログラム可能なデバイス）と、プロセッサ１００と電気的に連通する一つ以上の出力デバイス１０４（例えば、スピーカー及び／又は照明デバイス）と、電子部品を作動するためのアクチュエータ１０２と、電源１０６（例えば、バッテリー）と、を含む。また、電子部品アッセンブリ２６、２１６は、プロセッサ１００による実行のためのデータ及び／又はプログラム命令を格納するためのメモリ１１０を含むことができる。メモリ１１０は、例えば、読み出し専用メモリ（“ＲＯＭ”）、ランダムアクセスメモリ（“ＲＡＭ”）、電気的消去可能なプログラム可能な読み出し専用メモリ（“ＥＥＰＲＯＭ”）、フラッシュメモリ、ハードディスク、ＳＤカード、又は、他の適当な磁気的、光学的、物理的あるいは電子的なメモリデバイスを含む。プロセッサ１００は、メモリ１１０に接続され、（例えば実行中の）ＲＡＭ、（例えば、概ね恒久的な基盤上の）ＲＯＭ、又は、別のメモリまたはディスクなどの別の非一時的なコンピュータ可読媒体を実行する。追加的に又は代替的に、メモリ１１０は、プロセッサ１００に含まれる。装置１０、２００の実装に含まれるソフトウェアは、プロセッサ１００のメモリ１１０に格納される。ソフトウェアは、例えば、ファームウェア、一つ以上のアプリケーション、プログラムデータ、一つ以上のプログラムモジュール、及び他の実行可能な命令を含む。プロセッサ１００は、メモリから取得し、とりわけ、以下に記載される方法に関連する命令を実行するように構成されている。
【００３４】
また、いくつかの実施形態では、電子部品アッセンブリ２６、２１６は、他のプログラム、ソフトウェアまたはシステムにアクセスするための通信モジュール１１２を介してネットワーク（例えば、ＷＡＮ、ＬＡＮなど）に接続するように構成される。通信モジュール１１２は、電子部品アッセンブリ２６、２１６がローカルエリアネットワークやインターネットなどのネットワークを介して情報を送受信することができる、イーサネット（登録商標）カード又は無線ネットワークカードなどのネットワークインタフェースを含むことができる。データの通信は、Ｗｉ−Ｆｉ、Ｂｌｕｅｔｏｏｔｈ（登録商標）、ＺｉｇＢｅｅなどのあらゆる様々な通信プロトコルを使用して無線ローカルエリアネットワーク（“ＬＡＮ”）を介して行うことができる。付加的又は代替的に、データの通信は、広域ネットワーク（“ＷＡＮ”）（例えば、ＴＣＰ／ＩＰベースのネットワークなど）で行うことができる。
【００３５】
装置１０、２００は、装置の位置を示すために全地球測位システム（ＧＰＳ）受信機１１３を含むことができる。位置情報は、急隊員への通信を自動モードとして地元の９１１コールセンサーに通信モジュール１１２を介して伝送されることができる。これは、通信の他のモードが時間や場所で使用できない場合に有益である。
【００３６】
装置１０、２００は、装置に適用された力、患者に適用された圧迫の回数、各圧迫の間の時間、及び他のデータを検知するように構成された一つ以上のセンサ１１４を含む。センサ１１４によって収集されたデータは、メモリ１１０に格納され、後で引き出される又はダウンロードされる。データは、電子部品アッセンブリ２６、２１６へのハードワイヤ接続又は（上述の）ネットワークの無線によって取得されることができる。図示の構成では、電子部品アッセンブリ２６、２１６は、実質的に自己収容され、アクチュエータ１０２を含むハウジングに支持される。代替的な構成では、電子部品アッセンブリ２６、２１６は、ハウジング２２、２０４内に配置されることができ、または、様々な要素が装置１０、２００の様々な態様に収容されるように展開されることができる。
【００３７】
動作中、ハウジング２２、２０８は、チャンバー７４、２７８が第１容量を画定する第１位置と、チャンバー７４、２７８が小さい第２容量を画定する第２位置との間で調整可能である。より具体的には、図示の構成では、ハウジング２２、２０８の第１端９０、２６８は、プリーツ８６、２５６を縮小及び拡張することにより第２端９４、２７２に対して軸方向に調整可能であり、それによって、チャンバー７４、２７８によって画定された容量を変更する。一般的に述べると、チャンバー７４、２７８の容量は、第１端９０、２６８が第２端９４、２７２に近づくと小さくなる。図示の構成では、変形可能なハウジング２２、２０８の自然な弾力性は、ハウジング２２、２０８を第１位置の方に付勢する。代替的な構成では、スプリング（図示せず）又は他の作動形態は、変形可能なハウジング２２、２０８を第１位置の方に付勢するために提供されることができる。
【００３８】
使用中、使用者は、アクチュエータ１０２を押し又は作動して、プロセッサ１００に信号を出力デバイス１０４に送信させる。例えば、プロセッサ１００は、通常の所定の時間間隔で、可聴信号（スピーカからの一連のトーンなど）を出力するスピーカーに信号を送信することができ、及び／又は可視信号（ＬＥＤからの一連の点滅など）を出力する照明デバイス（例えば、ＬＥＤ）に信号を送信することができる。所定の時間間隔は、約０．６秒又は毎分１００サイクルにすることができる。いくつかの構成では、信号が送信される間隔は調整可能である。さらに他の構成では、プロセッサ１００は、プロセッサ１００が電源１０６を維持するために自動でオフにすることができるように、装置に圧力をかけないで信号出力の数を数えることができる。
【００３９】
患者が心停止又はＣＰＲを必要とする他の緊急事態になった場合には、使用者は、ＣＰＲを施す間、以下のように装置１０、２００を利用することができる。装置１０が利用される場合には、使用者は、自分自身を患者に接して配置し、その後、ガスケット１８の底部が患者の胸部に接触するように装置１０を配置してシールを形成し、両手で装置１０のハンドル１４を把持し、アクチュエータ１０２を作動することによって電子部品アッセンブリ２６を作動する。装置２００が利用される場合には、使用者は、自分自身を患者に接して配置し、その後、接着層３２０の裏層を剥離し、患者の胸部に装置２００を配置してシールを形成し、両手でハンドル１０４を把持し、アクチュエータ１０２を作動することによって電子部品アッセンブリ２１６を作動する。
【００４０】
ひとたび電子部品アッセンブリ２６、２１６が作動されると、使用者は、電子部品アッセンブリ２６、２１６が信号を出力する（例えば、光を点滅させる及び／又は音を発する）たびごとに、迅速な下向きの動きでハンドル１４、２０４を押し下げなければならない。使用者がハンドル１４、２０４を押し下げると、使用者によって提供された力は、ハンドル１４、２０４を介してハウジング２２、２０８の第１端９０、２６８に伝達する。加えられた力は、最初の位置に自然にあるハウジング２２、２０８の第１端９０、２６８を、ハウジング２２、２０８の第２端９４、２７２の方に移動させ、チャンバー７４、２７８内の容量を減少させて、圧力を増加させる。圧力の増加は、その力を患者に順に伝達するガスケット１８又は発砲インサート３１６に作用し、胸骨圧迫を起こさせる。
【００４１】
使用者がハンドル１４、２０４をより激しく押し下げる場合には、チャンバー７４、２７８内部の圧力は、周囲の環境７８又は大気に対して増加し、患者に加えられる力は増加する。使用者が十分に激しく押下する場合には、チャンバー７４、２７８内部の圧力は、予め決められた閾値よりも大きい量によって周囲の環境７８又は大気の圧力を超えて、弁９８又は開口２７６を開放し、空気がチャンバー７４、２７８を逃げ始める。空気が逃げると、チャンバー７４、２７８内部の圧力は、一定のままであり、これ以上増加しない。このように、患者によって経験される力は、一定のままであり、同様に増加することができない。
【００４２】
圧迫が完了後、使用者は、ハンドル１４、２０４を押下するのを停止し、変形可能なハウジング２２、２０８の第１端９０、２６８が第１位置に戻り、チャンバー７４、２７８内部の圧力が正常に戻るのを許容する。次に、使用者は、上述した圧迫工程を繰り返すときに、別の信号が電子部品アッセンブリ２６、２１６から生じるまで待つ。
【００４３】
本発明の種々の特徴及び利点は、以下の特許請求の範囲に記載されている。
[形態１]  手動の心肺蘇生装置であって、
ハンドルと、
第１端及び第２端を有する変形可能なハウジングであって、第１端はハンドルに接続され、第１端は第１周辺部を含み、第２端は第２周辺部を含み、第２周辺部は第１周辺部よりも大きい、変形可能なハウジングと、
変形可能なハウジングと一体の弁と、
変形可能なハウジングの第２端に接続されたガスケットであって、ガスケットは、チャンバーを形成するダイアフラムを含み、変形可能なハウジングは、圧力がハンドルにかけられるときに変形するように構成される、ガスケットと、を備える、手動の心肺蘇生装置。
[形態２]  形態１記載の手動の心肺蘇生装置において、
ガスケットは、患者の胸部と相互接続するように構成され、
チャンバーは、空気の容量を含み、
チャンバーの空気の容量は、ガスケットが患者の胸部と接触した状態で圧力がハンドルにかけられるときに減少する、手動の心肺蘇生装置。
[形態３]  形態２記載の手動の心肺蘇生装置において、
弁は、予め決められた圧力の量がハンドルにかけられるときに開放するように構成され、それによって、変形可能なハウジングがチャンバーの空気が弁を出るときに変形する、手動の心肺蘇生装置。
[形態４]  形態１記載の手動の心肺蘇生装置において、
ハンドルに支持された電子部品アッセンブリを更に備え、
電子部品アッセンブリは、プロセッサ、スピーカー、照明デバイス及びアクチュエータを含む、手動の心肺蘇生装置。
[形態５]  形態４記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
[形態６]  形態５記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
[形態７]  形態１記載の手動の心肺蘇生装置において、
ハンドルに支持された電子部品アッセンブリを更に備え、
電子部品アッセンブリは、プロセッサ、スピーカー及びアクチュエータを含む、手動の心肺蘇生装置。
[形態８]  形態７記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
[形態９]  形態１記載の手動の心肺蘇生装置において、
ハンドルに支持された電子部品アッセンブリを更に備え、
電子部品アッセンブリは、プロセッサ、照明デバイス及びアクチュエータを含む、手動の心肺蘇生装置。
[形態１０]  形態９記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
[形態１１]  形態１記載の手動の心肺蘇生装置において、
ハンドルは、第２周辺部よりも大きい第３周辺部を更に含む、手動の心肺蘇生装置。
[形態１２]  形態１記載の手動の心肺蘇生装置において、
ガスケットは、可撓性であり、それによって、患者の胸部とシールを形成するように構成される、手動の心肺蘇生装置。
[形態１３]  形態１記載の手動の心肺蘇生装置において、
変形可能なハウジングは、複数のプリーツを含む、手動の心肺蘇生装置。
[形態１４]  手動の心肺蘇生装置であって、
複数のプリーツを含むハウジングであって、ハウジングが第１位置にあるときの第１容量と、ハウジングが第２位置にあるときの第２容量とを有するチャンバーを画定するハウジングと、
ハウジングに接続されると共に、チャンバーと流体連通する弁と、
ハウジングに接続されたハンドルであって、ハンドルは、圧力を受けるように構成され、それによって患者の胸部に圧迫を適用するためにその第１位置から第２位置までハウジングを動かすハンドルと、を備える、手動の心肺蘇生装置。
[形態１５]  形態１４記載の手動の心肺蘇生装置において、
ハンドルに支持された電子部品アッセンブリを更に備え、
電子部品アッセンブリは、プロセッサ、スピーカー、照明デバイス及びアクチュエータを含む、手動の心肺蘇生装置。
[形態１６]  形態１５記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
[形態１７]  形態１６記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
[形態１８]  形態１４記載の手動の心肺蘇生装置において、
ハンドルに支持された電子部品アッセンブリを更に備え、
電子部品アッセンブリは、プロセッサ、スピーカー及びアクチュエータを含む、手動の心肺蘇生装置。
[形態１９]  形態１８記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
[形態２０]  形態１４記載の手動の心肺蘇生装置において、
ハンドルに支持された電子部品アッセンブリを更に備え、
電子部品アッセンブリは、プロセッサ、照明デバイス及びアクチュエータを含む、手動の心肺蘇生装置。
[形態２１]  形態２０記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
[形態２２]  手動の心肺蘇生装置であって、
ハンドルと、
変形可能なハウジングと、を備え、
変形可能なハウジングは、
ハンドルに接続された第１部分と、
第１端及び第２端を有する第２部分であって、第１端は第１部分に接続され、第１端は第１周辺部を含み、第２端は第２周辺部を含み、第２周辺部は第１周辺部よりも大きい、第２部分と、を含み、
手動の心肺蘇生装置は、更に、
第２部分内に形成された開口と、
第２部分に接続される第３部分であって、第３部分は、第２部分の第２端に隣接すると共に第２部分の周辺部の周りに延在するリムを含む、第３部分と、
リムに取り外し可能に結合されたカバーと、を備える、手動の心肺蘇生装置。
[形態２３]  形態２２記載の手動の心肺蘇生装置において、
リムは、内面及び外面を含むチャンネルを画定する、手動の心肺蘇生装置。
[形態２４]  形態２３記載の手動の心肺蘇生装置において、
カバーは、第２部分の第２端内に収まるように構成されたベースを含む、手動の心肺蘇生装置。
[形態２５]  形態２４記載の手動の心肺蘇生装置において、
カバーは、ベースの周辺部の周りを延在するリッジを含む、手動の心肺蘇生装置。
[形態２６]  形態２５記載の手動の心肺蘇生装置において、
リッジは、溝を画定すると共に、外面及び内面を含む、手動の心肺蘇生装置。
[形態２７]  形態２６記載の手動の心肺蘇生装置において、
リッジは、リムを受け入れるように構成される、手動の心肺蘇生装置。
[形態２８]  形態２７記載の手動の心肺蘇生装置において、
溝の内面は、チャンネルの外面と合う、手動の心肺蘇生装置。
[形態２９]  形態２８記載の手動の心肺蘇生装置において、
カバーは、ベースに結合された発砲インサートと、発砲インサートに結合された接着層と、を含む、手動の心肺蘇生装置。
[形態３０]  形態２５記載の手動の心肺蘇生装置において、
カバーは、変形可能なハウジングの第３部分からカバーを取り外すための、リッジの縁部から横方向に延在するタブを含む、手動の心肺蘇生装置。
[形態３１]  形態２２記載の手動の心肺蘇生装置において、
カバーは、ベースに結合された発砲インサートと、発砲インサートに結合された接着層と、を含む、手動の心肺蘇生装置。
[形態３２]  形態２２記載の手動の心肺蘇生装置において、
ハンドルに支持された電子部品アッセンブリを更に備え、
電子部品アッセンブリは、プロセッサ、スピーカー及びアクチュエータを含む、手動の心肺蘇生装置。
[形態３３]  形態３２記載の手動の心肺蘇生装置において、
スピーカーは、アクチュエータが作動されるときにスピーカーが予め決められた時間間隔で可聴信号を送信するように、プロセッサと電気的に連通する、手動の心肺蘇生装置。
[形態３４]  形態２２記載の手動の心肺蘇生装置において、
ハンドルに支持された電子部品アッセンブリを更に備え、
電子部品アッセンブリは、プロセッサ、照明デバイス及びアクチュエータを含む、手動の心肺蘇生装置。
[形態３５]  形態３４記載の手動の心肺蘇生装置において、
照明デバイスは、アクチュエータが作動されるときに照明デバイスが予め決められた時間間隔で可視インジケーターを送信するように、プロセッサと連通する、手動の心肺蘇生装置。
【図１】
0005820529.tif 000002
【図２】
0005820529.tif 000003
【図３】
0005820529.tif 000004
【図４】
0005820529.tif 000005
【図５】
0005820529.tif 000006
【図６】
0005820529.tif 000007
【図７】
0005820529.tif 000008
【図８】
0005820529.tif 000009
【図９】
0005820529.tif 000010
【図１０】
0005820529.tif 000011